(57)【要約】      （修正有）【課題】孔に草花、芝生等植物を土砂等植え込み用材と共に挿入するときや孔埋めブロックを挿入するときに、下方へ抜け落ちにくい舗装用ブロックを提供する。【解決手段】敷設面に敷き並べてこの面を舗装させるコンクリート製の舗装用ブロック本体１に、草花や芝生等を土砂等植え込み用材と共に植え込む孔３を上から下へ貫通する。孔３は上部開口部６の上部の幅Ａより下部開口部の下部の幅を小さく形成する。草花、芝生11等を土砂等植え込み用材と共に孔に挿入したとき、草花、芝生等が下方に落ち込むことが阻止され、草花、芝生等を上面２上にあらわしておくことができる。【選択図】図１
0003144629.tif 000002
【実用新案登録請求の範囲】
【請求項１】
敷設面に敷き並べてこの面を舗装させるコンクリート製の舗装用ブロック本体に、植物を植え込み用材と共に植え込む孔を上から下へ設けて舗装面を緑化する舗装用ブロックにおいて、前記孔は上部の幅が下部の幅よりも大きく形成されることを特徴とする舗装用ブロック。
【請求項２】
前記孔は貫通孔であって、その内側面がテーパー状であることを特徴とする請求項１記載の舗装用ブロック。
【請求項３】
前記孔に嵌合可能なコンクリート製の孔埋めブロックの上面幅が前記上部の幅と同じ長さに形成されたことを特徴とする請求項２記載の舗装用ブロック。
【請求項４】
前記孔埋めブロックの外側面が前記内側面のテーパーと同じテーパー状であることを特徴とする請求項３記載の舗装用ブロック。
【考案の詳細な説明】
【技術分野】
【０００１】
本考案は、舗装用ブロックに関するものである。
【背景技術】
【０００２】
従来、この種のものとして、敷設面に敷き並べてこの面を舗装させる舗装板であって、該舗装板は草花等を植え込む孔を上から下へ貫通するように設けられて、この孔へ敷設後に草花等を植え付けて舗装面を緑化することができ、また前記舗装板に上から下へ抜けるようにあけられた孔は、育苗ポットの挿し入れに適した寸法に形成されているものであって、全ての孔に育苗ポットを挿入する必要はなく、空いた孔には舗装板と同じ素材の(円柱形か逆円錐台形の詰め部材を挿入するようにすることで、視覚的に美観が保持できると共に、空いた孔につまずいて転倒するような事故を防ぐことができるものが知られている（例えば、特許文献１）。
【特許文献１】特開２００２−６１１０３号公報
【考案の開示】
【考案が解決しようとする課題】
【０００３】
従来技術においては、孔の上下は同一な円柱状であるので、草花等を土砂と共に孔に植え込むとき、舗装板の敷設面が軟弱であったり、また凹凸があったりなどすると、草花等は孔埋めブロックの下方へ抜けてしまうというおそれがある。また、空いた孔に詰め部材を挿入した場合であっても、詰め部材が下方へ抜けてしまうというおそれがある。
【０００４】
解決しようとする問題点は、孔に草花、芝生等植物を土砂等植え込み用材と共に挿入するときや孔埋めブロックを挿入するときに、下方へ抜け落ちにくいようにする点である。
【課題を解決するための手段】
【０００５】
請求項１の考案は、敷設面に敷き並べてこの面を舗装させるコンクリート製の舗装用ブロック本体に、植物を植え込み用材と共に植え込む孔を上から下へ設けて舗装面を緑化する舗装用ブロックにおいて、前記孔は上部の幅が下部の幅よりも大きく形成されることを特徴とする舗装用ブロックである。
【０００６】
請求項２の考案は、前記孔は貫通孔であって、その内側面がテーパー状であることを特徴とする請求項１記載の舗装用ブロックである。
【０００７】
請求項３の考案は、前記孔に嵌合可能なコンクリート製の孔埋めブロックの上面幅が前記上部の幅と同じ長さに形成されたことを特徴とする請求項２記載の舗装用ブロックである。
【０００８】
請求項４の考案は、前記孔埋めブロックの外側面が前記内側面のテーパーと同じテーパー状であることを特徴とする請求項３記載の舗装用ブロックである。
【考案の効果】
【０００９】
請求項１の考案によれば、孔の下部が狭くなっているので草花、芝生等植物が土砂等植え込み用材と共に落ち込みにくくなる。
【００１０】
請求項２の考案によれば、草花、芝生等植物の根が孔内で引っ掛かるようなことはなく、生育を良好に行うことができると共に、植物の入替作業も簡単に行うことができる。
【００１１】
請求項３の考案によれば、孔埋めブロックが孔から抜け落ちることなく第二の上面が第一の上面とほぼ同じ平面状になる。
【００１２】
請求項４の考案によれば、孔埋めブロックを孔にがたつきなく固定することができる。
【考案を実施するための最良の形態】
【００１３】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１４】
図１〜図３は実施例１を示しており、直方体状の舗装用ブロック本体１の第一の上面２は一辺が例えば３０ｃｍ程度の正方形をしており、第一の上面２の中心から四方に孔３が上下方向に貫通するように形成されている。この孔３の平面は一片が例えば９ｃｍ程度の正方形をなしており、この孔３の平面上の対角線４の一つは、舗装用ブロック本体１の第一の上面２の対角線５の一つと一致している。
【００１５】
さらに、孔３は下方へ次第に幅狭に形成されている。このため孔３の上部開口部６における上部の幅Ａより、下部開口部７における下部の幅Ｂは小さく形成されている（Ａ＞Ｂ）。このため、孔３の内側面８は一様な傾斜を有するようにテーパー状に設けられている。尚、上部開口部６の縁には第一の面取り部９が形成されており、さらにこの第一の面取り部９の周囲に第二の面取り部10が形成されている。
【００１６】
前記孔３のうち幾つか、実施例では１箇所に草花、芝生11等に代えてコンクリート製の孔埋めブロック本体１2が設けられている。この孔埋めブロック本体１2は下方が幅狭になる裁頭逆四角錐形状であって、平らとなった正方形の第二の上面13が形成されており、この第二の上面13の上面幅Ｃは上部の幅Ａと同じになっている（Ａ＝Ｃ）。このため第一の上面２と第二の上面13とが嵌合することで、両者はほぼ同じ平面状に配置されることとなる。尚、孔埋めブロック本体１2の高さＨは孔３の深さと同じ或いはやや短く形成されている。そして、孔埋めブロック本体１2の外側面14は一様な傾斜を有するようにテーパー状に設けられている。この外側面14のテーパーは内側面８のテーパーと同じに形成されている。
【００１７】
次に前記構成についてその作用を説明する。地面或いは基礎コンクリートの表面である敷設面15に、舗装用ブロック本体１を密に並べて設置する。そして、孔３に草花、芝生11等と共に土砂等植え込み用材16を入れる。これは別々にいれてもよいが、植生用ポットを利用して同時に入れるようにしてもよい。この際、孔３は下部開口部７が上部開口部６より狭くなっているので、土砂等植え込み用材16に水分が与えられてしまると、固くなって土砂等植え込み用材16は内側面８に密着して落ち込むようなことはなくなり、草花、芝生11等が第一の上面２から上方に出るようになる。
【００１８】
一方、歩道などを作る場合には、孔３に孔埋めブロック本体１2を挿入すると、テーパー状の外側面14がテーパー状の内側面８に密着する。この密着により、孔埋めブロック本体１2が孔３から抜け落ちることなく第二の上面13が第一の上面２とほぼ同じ平面状になる。
【００１９】
以上のように、前記実施例では請求項１に対応して、敷設面15に敷き並べてこの面を舗装させるコンクリート製の舗装用ブロック本体１に、草花や芝生11等を土砂等植え込み用材16と共に植え込む孔３を上から下へ設けて、この孔３へ草花、芝生11等を植え付けて舗装面を緑化する舗装用ブロック本体１とすることで、保水効果が得られてヒートアイランド現象の防止に有効であり、また草花や芝生11の植生により公園などでも違和感無く使用できる。さらに、耐圧性、透水性に優れているので、駐車場にも使用できる。また舗装用ブロック本体１のレイアウトも自由に行うことができる。さらに、前記孔３は上部開口部６の上部の幅Ａより下部開口部７の下部の幅Ｂを小さく形成したことにより、草花、芝生11等を土砂等植え込み用材16と共に孔３に挿入したとき、草花、芝生11等が下方に落ち込むことが阻止され、草花、芝生11等を第一の上面２上にあらわしておくことができる。
【００２０】
さらに、前記実施例では請求項２に対応して、前記孔３の内側面８がテーパー状であることにより、草花、芝生11等の根が引っ掛かるようなことはなく、生育を良好に行うことができると共に、草花、芝生11等の入替作業も簡単に行うことができる。
【００２１】
前記実施例では請求項３に対応して、前記孔３に嵌合可能なコンクリート製の孔埋めブロック本体１2の上面幅Ｃが上部の幅Ａと同じ長さに形成されたことにより、孔埋めブロック本体１2が孔３から抜け落ちることなく第二の上面13が第一の上面２とほぼ同じ平面状になり、凹凸のない歩道或いは区画線用ブロックとして使用することができる。
【００２２】
前記実施例では請求項４に対応して、孔埋めブロック本体１2の外側面14がテーパー状であることにより、テーパー状の内側面８とテーパー状の外側面14が密着でき、孔埋めブロック本体１2を孔３にがたつきなく固定することができる。
【実施例２】
【００２３】
次に他の実施例について説明する。尚、実施例１と同一部分には同一符号を付し、その詳細な説明を省略する。図４に示す実施例２においては、舗装用ブロック本体１Ａは平面が三角形状であって、一つの頂点側には平面が正方形の孔３が形成され、残りの二つの頂点側に平面が三角形の孔３Ａが形成されたものである。このような三角形状の舗装用ブロック本体１においても、それぞれの孔３，３Ａは上部の幅より下部部の幅を小さく形成したものである。
【００２４】
したがって、実施例２においても、草花、芝生等を土砂等植え込み用材と共に孔３，３Ａに挿入したとき、草花、芝生等が下方に落ち込むことが阻止できる。
【実施例３】
【００２５】
図５に示す実施例３においては、舗装用ブロック本体１Ｂは平面が三角形状であって、左右に三角形の孔３Ｂが形成されたものである。このような三角形状の舗装用ブロック本体１Ｂにおいても、それぞれの孔３Ｂは上部の幅より下部の幅を小さく形成したものである。
【００２６】
したがって、実施例３においても、草花、芝生等を土砂等植え込み用材と共に孔３Ｂに挿入したとき、草花、芝生等が下方に落ち込むことが阻止できる。
【実施例４】
【００２７】
図６に示す実施例４においては、孔３に孔埋めブロック本体12を挿入した舗装用ブロック本体１を直線状に並べて駐車場の駐車区画線や通路として利用したものである。
【産業上の利用可能性】
【００２８】
以上のように本考案にかかる舗装用ブロックは、各種寸法に形成するなどして各種の用途に適用できる。そして、その用途は歩道などにも利用することができる。
【図面の簡単な説明】
【００２９】
【図１】本考案の第１実施例を示す分解斜視図である。
【図２】同斜視図である。
【図３】同断面図である。
【図４】本考案の第２実施例を示す平面図である。
【図５】本考案の第３実施例を示す平面図である。
【図６】本考案の第４実施例を示す斜視図である。
【符号の説明】
【００３０】
１  舗装用ブロック本体
３  孔
６  上部開口部
７  下部開口部
８  内側面
11  草花や芝生
12  孔埋めブロック本体
13  第二の上面
14  外側面
15  敷設面
16  植え込み用材
Ａ  上部の幅
Ｂ  下部の幅
Ｃ  上面幅
【図１】
0003144629.tif 000003
【図２】
0003144629.tif 000004
【図３】
0003144629.tif 000005
【図４】
0003144629.tif 000006
【図５】
0003144629.tif 000007
【図６】
0003144629.tif 000008